(57)【要約】【課題】  墨打ちと同時に精確に所定間隔に目印を目盛ることができる巻き尺を提供するものである。【解決手段】  巻き尺のテープ１面に所定の間隔で切り抜き穴２があけられている。この巻き尺を下敷きにして墨糸１０で墨打ちすることにより、切り抜かれていない部分はカバーされ、切り抜き穴２の部分にだけ所定間隔毎に目印１２が墨打ちされるので、所定寸法を間違いなく、精度良く目盛ることができる。【選択図面】    図２
2006030148.tif 000002
【特許請求の範囲】
【請求項１】
テープ面に所定の間隔で設けた切り抜き穴の部分にだけ墨付けされることを特徴とする墨打ち用巻き尺。
【請求項２】
切り抜き穴少なくとも一辺がテープの長手方向軸に垂直であることを特徴とする請求項１記載の巻き尺
【請求項３】
間隔の異なる切り抜き穴を平行に複数列設けたことを特徴とする請求項１記載の巻き尺。
【請求項４】
テープの幅方向の両端を厚くして補強することを特徴とする請求項１、２または３記載の巻き尺。
【請求項５】
形状と最先端の切り抜き穴からの距離を変えることができるフックを先端に設けたことを特徴とする請求項１、２、３または４記載の巻き尺。
【請求項６】
フックと切り抜き穴および切り抜き穴と切り抜き穴の間にピン穴を設けたことを特徴とする請求項１、２、３、４または５記載の巻き尺。
【請求項７】
テープの巻き取り部に固定用のピンを設けたことを特徴とする請求項１、２、３、４、５または６記載の巻き尺。
【請求項８】
テープ幅方向の寸法が１０ｍｍ以上で、長手方向の寸法が３５ｍｍから２３０ｍｍの長方形の切り抜き穴を桟瓦登り足寸法の間隔であけ、且つ、軒先、瓦座または桟木に沿った形状を有し、最先端の切り抜き穴からの距離が軒先瓦登り足寸法または桟瓦登り足寸法になるフックを先端に設け、垂木線の墨打ちと同時に桟木の設置位置の目印を目盛ることを特徴とする請求項１、２、３、４、５、６または７記載の巻き尺。
【発明の詳細な説明】
【技術分野】
【０００１】
本発明は、大工、石工、瓦工などで割付寸法などを所定間隔毎に直線状に墨付けして目印を目盛ることができるようにした墨打ち用巻き尺に関するものである。
【背景技術】
【０００２】
従来、大工工事や石工工事、瓦工工事などの各種工事に際して、墨打ちした基準線に沿って各種作業、例えば割り付け寸法などの寸法出しをする手間を省く方法として、所定間隔で太い部分やそこだけに墨が付かない部分あるいは逆に墨が付く部分を設け、基準線の墨打ちと同時に所定間隔の目印が目盛られる墨糸が提案されている（特許文献１参照）。
【特許文献１】特開平８−１７８６５６号公報
【発明の開示】
【発明が解決しようとする課題】
【０００３】
かかる墨糸による目印は墨の飛散により精度が悪く、更に、墨糸は時が経つとともに伸び縮みしたりあるいは墨の付く部分と付かない部分がほつれて境目がずれたりして、寸法誤差が生じやすい欠点があった。
【０００４】
本発明は、かかる墨糸の問題点を解消し、墨打ちと同時に精確に所定間隔に目印を目盛ることができる巻き尺を提供するものである。
【課題を解決するための手段】
【０００５】
本発明は、テープ面に所定間隔で設けた切り抜き穴の部分にだけ墨付けされることを特徴とする墨打ち用巻き尺である。
【発明の効果】
【０００６】
本発明の巻き尺を下敷きにして墨打ちすることにより、切り抜き穴の部分に直線状に墨付けされた墨線のエッジを所定間隔の目盛の目印として利用することができる。
【０００７】
また、切り抜かれていない部分がカバーされて切り抜き穴の部分にだけ墨付けされるので、墨の飛散によるエッジのぼやけが無く、精度の良い所定間隔の目印を確実に目盛ることができる。
【０００８】
更に、テープは糸に比べて伸び縮みや経年劣化がほとんど無く、寸法誤差を生じないので、本発明による巻き尺は精度を落とすことなく長年使用することができる。
【発明を実施するための最良の形態】
【０００９】
本発明の実施の形態について図を参照して説明する。
図１は本発明の墨打ち用巻き尺の形態を示す斜視図である。１は伸び縮みしにくい鋼やプラスチックなどでつくられたテープ、２はテープ面に所定の間隔で設けられた切り抜き穴、３は引っ掛け用フック、４は長さ調整機能を有するテープと引っ掛けフックの接続部材、５はピンを刺すためのピン穴、６はテープの巻き取り部、７はテープの巻き取りハンドル、８は巻き取り部固定用ピン、である。
【００１０】
図２（ａ）に本発明の墨打ち用巻き尺を下敷きにして墨打ちをしている状態の一例を示す。先ず、フック３を始点に引っ掛け、テープ２を所定の位置までのばし、固定用ピン８を刺して巻き取り部６を固定する。次いで、墨糸１０の先端のカルコ９をテープ１の先端のピン穴５に刺し、墨壷１１を移動させて墨糸１０を引き出しながらテープ２面上に切り抜き穴２のほぼ真ん中に沿って所定の位置まで張った後、指でつまみ上げて弾き墨打ちを行う。図２（ｂ）に図２（ａ）の墨打ちによって墨付けされた破線で示す目盛りとなる目印１２である。
【００１１】
この墨打ちの下敷きにするテープ１の厚みが０．３５ｍｍを超えると、墨打ちの際に切り抜き穴２の端部に墨が付かず、墨線のエッジがぼやけて目盛１２が正しく画けなくなる。また、０．１ｍｍ未満になると強度が弱くてテープ１が破損しやすくなる。従って、テープ１の厚みは、０．１ｍｍから０．３５ｍｍの範囲にすることが望ましく、０．２ｍｍ程度が良い。
【００１２】
切り抜き穴２の形状は、テープの長手方向と交わる線分が垂直でないと、墨糸のぶれや軸からのずれによる墨線の寸法誤差の要因となるので、目印として利用する墨線のエッジを形成する線分を少なくともテープの長手方向の軸（墨糸）と垂直にする必要がある。通常は、軸と垂直な２辺を有する長方形（正方形を含む）にすると良い。
【００１３】
また、切り抜き穴２の長手方向の寸法が短く、且つ、テープ１が厚くなると墨打ちの際に切り抜き穴２のエッジがでにくくなるので、長手方向の寸法は厚みが厚くなるに従い長く、例えば、厚みが０．１ｍｍの場合には１０ｍｍ以上に、厚みが０．３５ｍｍの場合には３０ｍｍ以上にすることが必要である。
【００１４】
切り抜き穴２の幅方向の寸法は、屋内作業でテープが真っ直ぐに張れる場合にはテープと墨糸のずれや墨糸のぶれを考慮しても５ｍｍ以上あれば充分であるが、屋外作業の風などの影響でテープが歪んだ場合には墨糸１０から切り抜き穴２がはずれて破線が画けないことがあるので、１０ｍｍ以上にすることが望ましい。一方、テープの幅方向の切り抜き残部幅は狭くなると強度が弱くて破損しやすくなるので、５ｍｍ以上にすることが望ましい。例えば、一般に用いられる２５ｍｍのテープ幅の場合には、切り抜き穴の幅を１０ｍｍ程度にして、両端の切り抜き残部の幅を７．５ｍｍ程度に、また、３０ｍｍの幅広テープを用いる場合には、切り抜き穴の幅を１２ｍｍ程度、両端の切り抜き残部の幅を９ｍｍ程度にすると良い。
【００１５】
やむを得ず切り抜き残部のテープ幅を５ｍｍ以下にする場合には、テープ１の幅方向の両端部を厚くして補強するなどの方策をとることが望ましい。
【００１６】
テープ１が風などで歪んで作業し難いときには、中間のピン穴５にピンを刺してテープを仮止めすると作業が容易となる。
【００１７】
また、テープ１面に間隔の異なる切り抜き穴２を平行に複数列あけるとともに、フック３と切り抜き穴２の間隔を接続部材４で調整可能とすることにより、複数の所定間隔の目印に対応できる墨打ち用巻き尺をつくることができる。
【００１８】
更に、所定間隔が一定であるときは、切り抜き穴と切り抜かない部分の長手方向の寸法をともに所定間隔にすることにより、墨線の両エッジが目印となり、切り抜き穴の数を２分の１にすることができる。
【実施例】
【００１９】
以下に、図３により本発明の墨打ち用巻き尺を用いて、野地面１３が形成された屋根面に瓦を固定する桟木を設置する位置（桟木線）を垂木１４の位置を示す垂木線を墨打ちすると同時に目盛る一実施例を説明する。
墨打ちする屋根面の形態は、（１）野地面１３に瓦座など何も取りつけられていない状態（図３（ａ））、（２）軒先１５に、軒先瓦をのせる瓦座１７が取りつけられた状態（図３（ｂ））、（３）軒先瓦を取りつけるための一列目の桟木１９が取りつけられた状態（図３（ｃ））、の３つがあるので、引っ掛け用フックもその形態に適したものを取り替えて用いる。
【００２０】
図３（ａ）では、軒先用フック１６は屋根面形態（１）の場合に軒先１５に引っ掛けて用いるものである。図３（ｂ）では、瓦座用フック１８は最も一般的な屋根面形態（２）の場合の瓦座１７に引っ掛けて用いるものである。図３（ｃ）では、桟木用フック２０は屋根面形態（３）の場合の桟木１９に引っ掛けて用いるものである。これらのフック１６、１８および２０は、テープの一番目の切り抜き穴２からの距離が、屋根面形態（１）と（２）場合には、軒先瓦の寸法に応じた登り足寸法（軒先桟木寸法）に、また、屋根面形態（３）の場合には、桟瓦の寸法に応じた登り足寸法（桟木寸法）になるように調整して接続部４でテープ１に取りつけられる。
【００２１】
桟木寸法用巻き尺の切り抜き穴２の長手方向の寸法は、墨打ちされた目印が桟木に隠れてしまうと桟木の設置位置を間違いやすいので、一般に使用される幅広の桟木幅約３０ｍｍよりも大きくとることが望ましい。また、テープの長手方向の切り抜き残部幅が短くなるとテープの強度が弱くなるとともに、破線の破断部が桟木に隠れたり、離れると見にくくなるので、５０ｍｍ以上とることが望ましい。以上のことから、一般に使用される桟瓦では桟木寸法が２２５ｍｍから２８０ｍｍ程度であるので、切り抜き穴２の長手方向の寸法は３５ｍｍから２３０ｍｍの範囲に取ったが望ましく、１００ｍｍ程度が良い。
【００２２】
図４は、本発明の墨打ち用巻き尺を用いて野地面に垂木線２１を墨打ちした状態で、屋根面には破線（垂木線）がモザイク状に並び、例示するようにその破線の一端を棟木に平行方向に結んだ点線が桟木を設置する位置を示す仮想桟木線２２になるので、わざわざ桟木寸法を目盛り、桟木線を引くことなく、この仮想桟木線２２に沿って桟木を設置することができる。
【００２３】
通常、穴２の基準をフック３側の端にしてフックと穴の距離がとられるが、この場合には、図４に例示するように垂木線２１の破線の上端（棟木側）が仮想桟木線として用いられる。反対に、穴の基準をフックと反対側の端にすることにより、破線の下端（軒先側）を仮想桟木線として用いることもできる。
【産業上の利用可能性】
【００２４】
本発明の巻き尺は、大工工事や石工工事、瓦工工事などの各種施工に際して、墨打ちの下敷きとして用いることにより、直線状に墨付けをなすと同時に、割付寸法などの所定間隔毎に目印を付ける道具として用いられる。
【図面の簡単な説明】
【００２５】
【図１】墨打ち用巻き尺の斜視図
【図２】（ａ）は墨打ち用巻き尺を下敷きにして墨打ちをしている状態を示す図、（ｂ）は（ａ）で墨付けされた墨線（破線）を示す図
【図３】（ａ）は軒先に軒先用フックを引っ掛けた状態を示す図、（ｂ）は瓦座に瓦座用フックを引っ掛けた状態を示す図、（ｃ）は桟木に桟木用フックを引っ掛けた状態を示す図
【図４】屋根面に墨付けされた垂木線と仮想桟木線を示す図
【符号の説明】
【００２６】
１  テープ
２  切り抜き穴
３  フック
４  接続部材
５  ピン穴
６  巻き取り部
７  巻き取りハンドル
８  固定用ピン
９  カルコ（軽子）
１０  墨糸
１１  墨壷
１２  目盛（目印）
１３  野地面
１４  垂木
１５  軒先
１６  軒先用フック
１７  瓦座
１８  瓦座用フック
１９  桟木
２０  桟木用フック
２１  垂木線
２２  仮想桟木線
【図１】
2006030148.tif 000003
【図２】
2006030148.tif 000004
【図３】
2006030148.tif 000005
【図４】
2006030148.tif 000006